(57)【特許請求の範囲】
【請求項１】
概略長方形状の容器本体と、これに内嵌合される蓋体とからなり、前記容器本体のフランジ部内周に前記蓋体の外周縁が嵌入固定される嵌入凹所を形成し、さらにラップやフィルムによって包み込むことを前提とした包装用容器であって、
前記蓋体側の外周縁の一部に、当該蓋体の内嵌合状態を解除するためのつまみ部を一体的に形成するとともに、このつまみ部の全体が収納されることになる陥没部を、前記容器本体の両長辺側となるフランジ部の、前記容器本体の中心点に対して点対称位置にそれぞれ１個づつ形成し、これらの陥没部の各両側に前記容器本体側のフランジ部の上面に連なる傾斜面を形成して、
前記つまみ部が容器本体のフランジ部から突出しないようにして、取り扱い及び前記ラップ掛けやフィルム掛けに支障をきたさないようにしたことを特徴とするつまみ部を有する包装用容器。
【請求項２】
前記容器本体側の陥没部の外側面部に、内方に陥入する陥入部を形成し、前記蓋体側のつまみ部の外側端が前記陥没部の側方に突出し得るようにしたことを特徴とする請求項１に記載のつまみ部を有する包装用容器。
【請求項３】
前記つまみ部または陥没部の水平底面に、凹部または凸部を形成して、これら凹部または凸部が、前記容器本体側の陥没部の水平底面上または前記つまみ部の裏面に当接することにより、当該つまみ部が前記陥没部内にて浮き上がるようにしたことを特徴とする請求項１または請求項２に記載のつまみ部を有する包装用容器。
【発明の詳細な説明】
【０００１】
【産業上の利用分野】
本発明は、包装用容器に関し、特に容器本体とこれに内嵌合される蓋体とからなる包装用容器に関するものである。
【０００２】
【従来の技術】
スーパーやコンビニエンスストアにおいては、例えば弁当や惣菜等を所謂「パック詰め」して販売しているが、このパックがここでいう包装用容器である。この包装用容器は、内容物の形くずれ等を防止するために、内容物を詰めるための容器本体と、これを上方から覆う蓋体とからなっているのが一般的であり、蓋体を容器本体に取付るに際して、その外側で行うか内側で行うかによって、「外嵌合」と「内嵌合」とに分けられる。
【０００３】
従来一般に採用されている包装用容器では、「外嵌合」で蓋体を容器本体に止めることが一般的になされているのであるが、内容物中の液が洩れ出ないようにできること、複数を積み上げたときの剛性を確保することができること、等を理由によって、「内嵌合」形成の包装用容器が見直されるようになってきている。
【０００４】
このような内嵌合形式の従来の包装用容器としては、例えば実公平７−２４２７号公報にて提案されている「包装用容器」がある。この従来の包装用容器は、図７及び図８に示すように、
「容器本体の内側上部に段肩部を形成し、蓋の周縁下端部を該段肩部に嵌め込む構成の包装用容器において、容器本体の少なくとも一部分の段肩部上方に適度な間隔をおいて内方へ突出した蓋係合用突起を形成し、かつ該突起間に蓋の摘み片が当接する傾斜面を凹設し、蓋の少なくとも一部分の下部外側から外方に延出し上記傾斜面に当接可能な摘み片を形成してなる」
ものであり、
「蓋が簡単に容器本体内に嵌合でき、突起によって係止されるので、安定した閉蓋状態を維持しえると共に、容器本体を変形させるような操作を行うことなく、蓋の摘み片を上方に引くだけで開蓋することができ、開蓋時の蓋の変形抵抗も周縁の一部だけできわめて少なく、閉蓋状態が安定していながら、開蓋を簡単容易に行うことができる」
と考えられる。
【０００５】
ところが、この従来の包装用容器では、図８に示したように、摘み片の先端が容器本体の外周縁（フランジ部）の上方に大きく突出することになり、このことが次のような問題を生ずると考えれる。
【０００６】
すなわち、容器本体に蓋体を嵌合するようにしたこの種の包装用容器では、中味を入れて嵌合した全体を、ラップやフィルムによってさらに包み込むことがなされている。このラップ等は、蓋体の嵌合が外れないようにするとともに、中の液汁が外に漏れ出ないように、あるいは外から異物や水分が中に入らないようにするものであるが、このラップ等が図８に示した状態で突出している摘み部の先端に引っかかって破れてしまうおそれがあるのである。
【０００７】
そこで、本発明者等は、つまみ部の利便性を生かしながら、ラップ等に対する上述した問題が生じないようにするにはどうしたらよいかについて種々検討を重ねてきた結果、本発明を完成したのである。
【０００８】
【発明が解決しようとする課題】
本発明は、以上の経緯に基づいてなされたもので、その解決しようとする課題は、開蓋するためのつまみ部が邪魔にならないようにすることである。
【０００９】
すなわち、まず請求項１に係る発明の目的とするところは、ラップやフィルムによってさらに包み込むことを前提の構成とする包装容器について、その内嵌合型式の蓋体に設けたつまみ部が容器本体のフランジ部から突出しないようにして、取り扱いやラップ掛けに支障をきたさないようにすることのできる包装用容器を提供することにある。
【００１０】
また、請求項２に係る発明の目的とするところは、上記請求項１と同様な目的を達成することができる他、つまみ部のつまみ操作を容易に行うことができる包装用容器を提供することにある。
【００１１】
さらに、請求項３に係る発明の目的とするところは、上記請求項１または請求項２に係る発明と同様な目的を達成できる他、つまみ部のつまみ操作をさらにし易くすることのできる包装用容器を提供することにある。
【００１２】
【課題を解決するための手段】
以上の課題を解決するために、まず請求項１に係る発明の採った手段は、後述する実施の形態の説明中において使用する符号を付して説明すると、
「概略長方形状の容器本体１０と、これに内嵌合される蓋体２０とからなり、容器本体１０のフランジ部１１内周に蓋体２０の外周縁２１が嵌入固定される嵌入凹所１２を形成し、さらにラップやフィルムによって包み込むことを前提とした包装用容包装用容器であって、
蓋体２０側の外周縁２１の一部に、当該蓋体２０の内嵌合状態を解除するためのつまみ部３０を一体的に形成するとともに、このつまみ部３０の全体が収納されることになる陥没部１３を、容器本体１０の両長辺側となるフランジ部１１の、容器本体１０の中心点に対して点対称位置にそれぞれ１個づつ形成し、これらの陥没部１３の各両側に容器本体１０側のフランジ部１１の上面に連なる傾斜面１３ｃをそれぞれ形成して、
つまみ部３０が容器本体１０のフランジ部１１から突出しないようにして、取り扱い及び前記ラップ掛けやフィルム掛けに支障をきたさないようにしたことを特徴とするつまみ部３０を有する包装用容器」
である。
【００１３】
すなわち、この請求項１に係る包装用容器は、合成樹脂シートを真空成形または圧空成形することにより形成した概略長方形状の容器本体１０と蓋体２０とからなるものであるが、この蓋体２０は容器本体１０に対して内嵌合されるものであり、かつラップやフィルムによって包み込むことを前提としたものである。つまり、容器本体１０側のフランジ部１１の内側には、図１に示すように、嵌入凹所１２が形成してあって、この嵌入凹所１２内に蓋体２０の外周縁２１が嵌合固定されることにより、蓋体２０は容器本体１０に対して「内嵌合」により一体化されるのである。
【００１４】
容器本体１０側の嵌入凹所１２内に嵌入された蓋体２０の外周縁２１は、これを何等かの方法で係止しなければならないが、以下に示す実施形態に係る包装用容器では、図１にも示すように、嵌入凹所１２の隅部の一方の側に、合成樹脂シートの一部を当該嵌入凹所１２内側に膨出させた係止部１２ａを形成しておき、この係止部１２ａに蓋体２０の外周縁２１を係合させるようにしている。
【００１５】
また、容器本体１０の両長辺側となるフランジ部１１の、容器本体１０の中心点に対して点対称位置には、図１および図３に示すように、後述する蓋体２０側に一体的に形成したつまみ部３０を収納するための陥没部１３がそれぞれ形成してあるが、これらの陥没部１３は、図３の（ロ）に示すように、水平底面１３ａを有しているものである。この水平底面１３ａは、傾斜していてもよいものであるが、その両側の傾斜面１３ｃによってフランジ部１１の上面に連なっているものである。これにより、蓋体２０を容器本体１０に対して内嵌合させたとき、これに一体的に形成した各つまみ部３０が、各傾斜面１３ｃに案内されて水平底面１３ａ上に位置することになり、このときには、図３の（ロ）及び図４に示したように、つまみ部３０が水平底面１３ａ上に載置されて陥没部１３内に完全に収納されることになるのである。
【００１６】
以上の各陥没部１３内には、図３に示すように、つまみ部３０が収納されるのであるが、このつまみ部３０は、図２に示すように、蓋体２０の外周縁２１の一部に一体的に形成したものである。なお、このつまみ部３０以外の蓋体２０の外周縁２１は、前述した容器本体１０側の嵌入凹所１２内に突出している係止部１２ａに係止し易いものとしてある。
【００１７】
このつまみ部３０や、これが収納されるべき容器本体１０側の陥没部１３は、包装用容器の中心に対して点対称位置に形成してある。蓋体２０がどちら向きであっても、各つまみ部３０が陥没部１３内に収納できるようにするためである。
【００１８】
蓋体２０を容器本体１０に嵌合したとき、図３及び図４に示すように、つまみ部３０は容器本体１０の陥没部１３内に完全に収納されるのであり、図８の従来例のように、大きく突出することがない。このため、蓋体２０を容器本体１０に嵌合した包装用容器全体からみれば、その外方に鋭く突出する部分が全くなく、包装用容器全体にラップ等をかけたとしても、これが破損することがない。勿論、突出する部分がないから、多数の包装用容器を一箇所に並べたとしても、互いに破損し合ったり、積層して陳列する邪魔になることもない。
【００１９】
従って、この請求項１の包装用容器によれば、内嵌合型式の蓋体２０に設けたつまみ部３０が容器本体１０のフランジ部１１から突出しないようにして、取り扱いやラップ掛けに支障をきたさないようにし得るとともに、陥没部１３を包装用容器の中心に対して点対称位置に形成したから、蓋体２０がどちら向きであっても、各つまみ部３０を陥没部１３内に収納できるものとなっているのである。
【００２０】
上記課題を解決するために、請求項２に係る発明の採った手段は、上記請求項１の包装用容器について、
「容器本体１０側の陥没部１３の外側面部に、内方に陥入する陥入部１３ｂを形成し、蓋体２０側のつまみ部３０の外側端３１が陥没部１３の側方に突出し得るようにしたこと」
である。
【００２１】
すなわち、この請求項２の包装用容器では、図３の（イ）及び図４に示すように、容器本体１０側の陥没部１３内に収納されたつまみ部３０の外側端３１が、この陥没部１３の側方に少し突出するようにしたものであり、そのために、陥没部１３の外側面部に陥入部１３ｂを形成したものである。この陥入部１３ｂは、合成樹脂シートを成形する型によって他の部分と同時に形成されるものであり、陥没部１３の外側面部に位置するものもであることから、型抜きの問題は全くないものである。
【００２２】
このような陥入部１３ｂによって、つまみ部３０の外側端３１を陥没部１３の側方に少し突出させたから、図４に示すように、容器本体１０の陥没部１３内に指を入れなくても、つまみ部３０の外側端３１に指を掛けるだけで、このつまみ部３０の引き起こしを行え簡単につまめるのである。勿論、陥入部１３ｂを形成することによって、つまみ部３０の外側端３１が容器本体１０の外側面から突出することはなく、ラップ等の引っ掛かり部分とならないことは言うまでもない。
【００２３】
従って、この請求項２の包装用容器によれば、請求項１の包装用容器と同様な機能を発揮するとともに、つまみ部３０のつまみ操作を容易に行えるのである。
【００２４】
そして、上記課題を解決するために、請求項３に係る発明の採った手段は、上記請求項１または請求項２に係る包装用容器について、
「つまみ部３０または陥没部１３の水平底面１３ａに、凹部または凸部３２を形成して、これら凹部または凸部３２が、容器本体１０側の陥没部１３の水平底面１３ａ上またはつまみ部３０の裏面に当接することにより、当該つまみ部３０が陥没部１３内にて浮き上がるようにしたこと」
である。
【００２５】
すなわち、この請求項３の包装用容器では、各つまみ部３０または容器本体１０側の陥没部１３の水平底面１３ａについて、図５または図６に示すように凹部または凸部３２を形成するようにしたものであり、これにより、各つまみ部３０が陥没部１３内にて指を掛けられる程度に傾斜する（立ち上がる）ようにしたものである。
【００２６】
各凹部または凸部３２は、合成樹脂シートを型成形する際に同時に形成されるものであり、またそれ程大きなものとする必要がないものであるため、非常に簡単に形成することができるものである。
【００２７】
この凹部または凸部３２は、これをつまみ部３０側に形成したときには、図５に示すように、陥没部１３の水平底面１３ａ上に当接することにより、つまみ部３０自体を陥没部１３内にて傾斜させることができるものであって、図５中の仮想線にて示すように、つまみ部３０の外側端３１に指を掛けてその引き上げを容易に行えるようにするものである。同様に、凹部または凸部３２を陥没部１３の水平底面１３ａに形成したときには、図６に示したように、この凹部または凸部３２上に平らなままのつまみ部３０が当接して浮き上がることになるものである。
【００２８】
従って、この請求項３の包装用容器によれば、上記請求項１または請求項２の包装用容器と同様な作用・機能を発揮する他、つまみ部３０のつまみ操作をようり一層容易に行えるのである。
【００２９】
【発明の実施の形態】
次に、上記のように構成した各請求項１の発明を、図面に示した実施の形態である包装用容器について説明するが、この実施形態の包装用容器は、上記各請求項に係る発明を実質的に含むものであるため、以下ではこの包装用容器を中心に説明していくこととする。
【００３０】
図１には、本発明の包装用容器を構成する容器本体１０の平面図が示してあるが、この容器本体１０は適宜模様を印刷した合成樹脂シートにより一体成形したものである。この容器本体１０の外周縁には、一定幅のフランジ部１１が形成してあり、このフランジ部１１の直ぐ内側には、後述の蓋体２０を内嵌合するための嵌入凹所１２が形成してある。また、この嵌入凹所１２内には、例えば上述したフランジ部１１の内側の一部を内方に膨出させることにより形成した係止部１２ａが突出させてあり、この係止部１２ａには蓋体２０の外周縁２１が係合することになる。なお、この実施形態の容器本体１０は弁当用であるため、ごはん用の収納部やおかず用の収納部等に種々仕切ってある。また、この容器本体１０の嵌入凹所１２内には、前述した係止部１２ａとは反対側から突出する膨出部が形成してあって、これら各膨出部によって、多数の当該容器本体１０を積み重ねたときの重なりを防止するようにしている。そして、本発明の包装用容器は、ラップやフィルムによって包み込むことを前提としたものである。
【００３１】
なお、嵌入凹所１２内に膨出する各係止部１２ａは、図１に示したように、容器本体１０のコーナー部（隅角部）に形成するよりも、次に述べる陥没部１３とは反対側の辺に形成するとよい。何故なら、つまみ部３０によって蓋体２０を引き上げてその嵌合状態を解除するのに、作用点と力点との間の間隔を大きく開けておいた方がテコの原理を利用する上で有利だからであるが、だからといって、各係止部１２ａをつまみ部３０がくる箇所から余り大きく外れると、今度は蓋体２０が開き易くなってしまうから、前述したような位置が最適である。
【００３２】
さて、つまみ部３０を収納することになる各陥没部１３であるが、本実施形態の包装用容器では、図１に示したように、両長辺側となるフランジ部１１の、当該包装用容器の中心点に対して点対称位置にそれぞれ１個づつ形成してある。つまり、各陥没部１３内に収納されているつまみ部３０を、左右両手の指でそれぞれつまみ易い位置であって、蓋体２０の方向性を決定しない位置にこれらの陥没部１３が形成してあるのである。
【００３３】
各陥没部１３は、図３に示すように、フランジ部１１の上面からなだらかに連続する左右の傾斜面１３ｃ・１３ｃと、これら両傾斜面１３ｃ間に位置してフランジ部１１の上面より低い位置となる水平底面１３ａとを有しているものである。これにより、蓋体２０を容器本体１０に対して内嵌合させたとき、これに一体的に形成した各つまみ部３０が、各傾斜面１３ｃに案内されて水平底面１３ａ上に位置することになり、このときには、図３の（ロ）及び図４に示したように、つまみ部３０が水平底面１３ａ上に載置されて陥没部１３内に完全に収納されることになるのである。
【００３４】
また、各陥没部１３の外側端部には、図３の（イ）及び図４に示したように陥入部１３ｂが形成してあって、当該陥没部１３内に収納されたつまみ部３０の外側端３１は、図３の（イ）及び図４に示したように、陥没部１３の水平底面１３ａの外端面から僅かに突出して指が掛け易くなっているのである。
【００３５】
一方、蓋体２０であるが、この蓋体２０は透明な合成樹脂シートから一体成形したものであり、その外周縁２１の一部、つまり容器本体１０側の各陥没部１３に対応する部分にはつまみ部３０が一体的に形成してある。
【００３６】
また、実施形態のつまみ部３０には、図２及び図５に示したように、当該つまみ部３０を引く方向を示す矢印となっている凹部または凸部３２が形成してあり、この凹部または凸部３２の下面が、図５に示したように、容器本体１０側の陥没部１３を構成している水平底面１３ａ上に当接することにより、当該つまみ部３０を各陥没部１３内にて傾斜状態で立ち上がるものとしてある。なお、この凹部または凸部３２は、図６に示したように、陥没部１３を構成している水平底面１３ａに形成するように実施してもよいものである。
【００３７】
【発明の効果】
以上、詳述した通り、まず請求項１に係る発明においては、上記実施形態に例示した如く、
「概略長方形状の容器本体１０と、これに内嵌合される蓋体２０とからなり、容器本体１０のフランジ部１１内周に蓋体２０の外周縁２１が嵌入固定される嵌入凹所１２を形成し、さらにラップやフィルムによって包み込むことを前提とした包装用容包装用容器であって、
蓋体２０側の外周縁２１の一部に、当該蓋体２０の内嵌合状態を解除するためのつまみ部３０を一体的に形成するとともに、このつまみ部３０の全体が収納されることになる陥没部１３を、容器本体１０の両長辺側となるフランジ部１１の、容器本体１０の中心点に対して点対称位置にそれぞれ１個づつ形成し、これらの陥没部１３の各両側に容器本体１０側のフランジ部１１の上面に連なる傾斜面１３ｃをそれぞれ形成して、
つまみ部３０が容器本体１０のフランジ部１１から突出しないようにして、取り扱い及び前記ラップ掛けやフィルム掛けに支障をきたさないようにしたこと」
にその構成上の特徴があり、これにより、内嵌合型式の蓋体に設けたつまみ部が容器本体のフランジ部から突出しないようにして、取り扱いやラップ掛けに支障をきたさないようにすることのできる包装用容器を提供することができるのである。また、蓋体２０を容器本体１０に対して内嵌合させたとき、これに一体的に形成した各つまみ部３０が、各傾斜面１３ｃに案内されて水平底面１３ａ上に位置することになり、つまみ部３０が水平底面１３ａ上に載置されて陥没部１３内に完全に収納されることになる。さらに、この請求項１の包装用容器によれば、陥没部１３を包装用容器の中心に対して点対称位置に形成したから、蓋体２０がどちら向きであっても、各つまみ部３０を陥没部１３内に収納できるのである。
【００３８】
また、請求項２の包装用容器によれば、上記請求項１の包装用容器について、
「容器本体１０側の陥没部１３の外側面部に、内方に陥入する陥入部１３ｂを形成し、蓋体２０側のつまみ部３０の外側端３１が陥没部１３の側方に突出し得るようにしたこと」
にその特徴があり、これにより、上記請求項１と同様な目的を達成することができる他、つまみ部のつまみ操作を容易に行うことができる包装用容器を提供することができる。
【００３９】
そして、請求項３の包装用容器によれば、上記請求項１または請求項２の包装用容器について、
「つまみ部３０または陥没部１３の水平底面１３ａに、凹部または凸部３２を形成して、これら凹部または凸部３２が、容器本体１０側の陥没部１３の水平底面１３ａ上またはつまみ部３０の裏面に当接することにより、当該つまみ部３０が陥没部１３内にて浮き上がるようにしたこと」
にその特徴があり、これにより、上記請求項１または請求項２に係る発明と同様な目的を達成できる他、つまみ部のつまみ操作をさらにし易くすることのできる包装用容器を提供できるのである。
【図面の簡単な説明】
【図１】  本発明の包装用容器を構成している容器本体の平面図である。
【図２】  同蓋体の平面図である。
【図３】  蓋体を包装用容器内に嵌合したときの様子を示すもので、（イ）はその要部拡大部分平面図、（ロ）は（イ）中のＡ−Ａ線に沿ってみた部分断面図である。
【図４】  図３の（イ）のＢ−Ｂ線に沿ってみた部分拡大断面図である。
【図５】  凹部または凸部の一実施例を示す、図４に対応した部分拡大断面図である。
【図６】  凹部または凸部の別の実施例を示す部分拡大断面図である。
【図７】  従来の包装用容器の部分平面図である。
【図８】  同包装用容器の部分断面図である。
【符号の説明】
１０    容器本体
１１    フランジ部
１２    嵌入凹所
１２ａ  係止部
１３    陥没部
１３ａ  水平底面
１３ｂ  陥入部
２０    蓋体
２１    外周縁
３０    つまみ部
３１    外側端
３２    凹部または凸部
【図１】
0003918125.tif 000002
【図２】
0003918125.tif 000003
【図３】
0003918125.tif 000004
【図４】
0003918125.tif 000005
【図５】
0003918125.tif 000006
【図６】
0003918125.tif 000007
【図７】
0003918125.tif 000008
【図８】
0003918125.tif 000009